(57)【特許請求の範囲】
【請求項１】
楽器が取り付けられるロッドを有する楽器用キャリアにおいて、
キャリア本体部と
前記ロッドを移動可能な状態と前記ロッドが固定された状態とのどちらかが選択的にとれるロッドクランプと、
前記楽器の取付位置を設定するために、前記ロッドに取付けられるロッド位置規制部材と、を備え、
前記ロッド位置規制部材は、前記楽器の取付位置を設定するため、前記ロッドに対して移動可能な状態と前記ロッドに対して固定された状態とのどちらかが選択的にとれる構成とされており、
前記ロッドクランプは、前記キャリア本体部に対して固定可能に構成され、
前記ロッドの所定位置に前記ロッド位置規制部材が固定された状態で、前記ロッドクランプの固定を解除することで、前記ロッド位置規制部材が規定する範囲内で前記ロッドの移動および回動が可能となるとともに、前記ロッド位置規制部材に対する前記ロッドクランプまたは前記キャリア本体部との当接から前記ロッド位置規制部材によって前記ロッドクランプを再度固定する際に、前記楽器の取付位置が前記所定位置に位置決め可能であることを特徴とする楽器用キャリア。
【請求項２】
前記キャリア本体部は、演奏者の腹に当接される腹当て部材を有し、
前記ロッドクランプは、前記腹当て部材の正面側に固定されており、第１締結部材を緩めたときに前記ロッドを移動可能にするとともに、前記第１締結部材を締めたときに前記ロッドを固定し、
前記ロッド位置規制部材は、前記ロッドクランプと接触するように、前記ロッドに固定することを特徴とする請求項１記載の楽器用キャリア。
【請求項３】
前記ロッド位置規制部材は、前記ロッドに対して着脱可能とするとともに、第２の締結部材を有し、前記ロッドに装着された状態で該第２の締結部材を締めることで前記ロッドに対して固定状態とする一方、前記第２の締結部材を緩めたときに前記ロッドに対して移動可能とするとともに着脱可能とすることを特徴とする請求項１または２記載の楽器用キャリア。
【請求項４】
前記ロッドの回動時において、前記ロッドに対して相対的に変位する変位部材と、前記ロッド位置規制部材と、のどちらか一方の部材に設けられた突出部を有し、
前記突出部は、前記ロッドの回転時において、前記変位部材及び前記ロッド位置規制部材のうち、前記突出部が設けられていない他方の部材に当接することで、前記ロッドの回動を規制することを特徴とする請求項１ないし３のうち、いずれか１項記載の楽器用キャリア。
【請求項５】
前記ロッドに固定された前記ロッド位置規制部材は、前記ロッドの回動時に前記変位部材と当接されない範囲で回転可能であることを特徴とする請求項４記載の楽器用キャリア。
【請求項６】
前記変位部材は、前記ロッドクランプであることを特徴とする請求項４または５記載の楽器用キャリア。
【請求項７】
前記ロッドの回動時において、前記ロッドに対して相対的に変位する変位部材と、前記ロッド位置規制部材と、のどちらか一方の部材に設けられた突出部を有し、
前記突出部は、前記ロッドの回転時において、前記変位部材及び前記ロッド位置規制部材のうち、前記突出部が設けられていない他方の部材に当接することで、前記ロッドの回動を規制し、
前記ロッドに固定された前記ロッド位置規制部材は、前記ロッドの回動時に前記変位部材と当接されない範囲で回転可能であり、
前記変位部材は、前記腹当て部材であることを特徴とする請求項２記載の楽器用キャリア。
【発明の詳細な説明】
【技術分野】
【０００１】
本発明は、演奏者の前方で楽器を支持する楽器用キャリアに関する。
【背景技術】
【０００２】
従来、パレードやショー等において、マーチングドラム等の楽器を演奏者の前方で支持する楽器用キャリアが使用されている。
このような楽器用キャリアは、演奏者の腹部に当接される腹当て部材と、腹当て部材の正面側に固定された一対のロッドクランプと、一対のロッドと、を有する（例えば、特許文献１参照。）。
ロッドは、ねじを締結されることでロッドクランプ内に固定される。また、ねじを締結することで、ロッドの高さ及び回転方向の位置を規制することができる。
【０００３】
上記構成とされた楽器用キャリアを用いて、楽器を支持する場合、例えば、楽器にロッド装着機構を装着し、ロッド装着機構に設けられた一対のロッド挿入穴にロッドをそれぞれ挿入することで、楽器を支持する。
【先行技術文献】
【特許文献】
【０００４】
【特許文献１】特開２００３−５７４５号公報
【発明の概要】
【発明が解決しようとする課題】
【０００５】
ところで、楽器用キャリアを用いて楽器を支持する場合、以下の処理を行う。
初めに、ねじをゆるめてロッドクランプに対してロッドを移動可能な状態とする。次いで、ロッド装着機構に設けられたロッド挿入穴に挿入可能なように、一対のロッドの高さ及び／または回転方向の位置（言い換えれば、開き具合）を調整する。その後、ねじを締めることで、ロッドクランプに対するロッドの位置を規制する。
楽器用キャリアを用いて楽器を支持する場合、楽器を演奏する前に、上記処理を毎回行う必要があるため、非常に煩雑であった。
【０００６】
そこで、本発明は、上記事情を鑑みてなされたものであり、調整後のロッドの高さ及び／または回転方向の位置を容易に再現することの可能な楽器用キャリアを提供することを課題とする。
【課題を解決するための手段】
【０００７】
上記課題を解決するため、本発明の一観点によれば、楽器が取り付けられるロッドを有する楽器用キャリアにおいて、キャリア本体部と前記ロッドを移動可能な状態と前記ロッドが固定された状態とのどちらかが選択的にとれるロッドクランプと、前記楽器の取付位置を設定するために、前記ロッドに取付けられるロッド位置規制部材と、を備え、前記ロッド位置規制部材は、前記楽器の取付位置を設定するため、前記ロッドに対して移動可能な状態と前記ロッドに対して固定された状態とのどちらかが選択的にとれる構成とされており、前記ロッドクランプは、前記キャリア本体部に対して固定可能に構成され、前記ロッドの所定位置に前記ロッド位置規制部材が固定された状態で、前記ロッドクランプの固定を解除することで、前記ロッド位置規制部材が規定する範囲内で前記ロッドの移動および回動が可能となるとともに、前記ロッド位置規制部材に対する前記ロッドクランプまたは前記キャリア本体部との当接から前記ロッド位置規制部材によって前記ロッドクランプを再度固定する際に、前記楽器の取付位置が前記所定位置に位置決め可能であることを特徴とする楽器用キャリアが提供される。
【０００８】
本発明の一観点の楽器用キャリアは、ロッド位置規制部材を含むことで、楽器を支持するためのロッドの位置決め後（具体的には、ロッドの高さ及び／またはロッドの回転方向の位置決め後）、位置決めされたロッドにロッド位置規制部材を固定することが可能となる。
これにより、例えば、ロッドにロッド位置規制部材を固定した状態において、位置決め
された所定位置からロッドの高さ及び／またはロッドの回転方向の位置を変えた場合でも、位置決め後のロッドの高さ及び／またはロッドの回転方向の所定位置を容易に再現することができる。
【０００９】
上記楽器用キャリアにおいて、前記キャリア本体部は、演奏者の腹に当接される腹当て部材を有し、前記ロッドクランプは、前記腹当て部材の正面側に固定されており、第１締結部材を緩めたときに前記ロッドを移動可能にするとともに、前記第１締結部材を締めたときに前記ロッドを固定し、前記ロッド位置規制部材は、前記ロッドクランプと接触するように、前記ロッドに固定してもよい。
【００１０】
このように、ロッドクランプと接触するように、ロッドにロッド位置規制部材を固定することで、腹当て部材に固定されたロッドクランプの位置を高さ方向の基準位置とすることが可能となるので、位置決め後のロッドの高さを容易に再現することができる。
【００１１】
上記楽器用キャリアにおいて、前記ロッド位置規制部材は、前記ロッドに対して着脱可能とするとともに、第２の締結部材を有し、前記ロッドに装着された状態で該第２の締結部材を締めることで前記ロッドに対して固定状態とする一方、前記第２の締結部材を緩めたときに前記ロッドに対して移動可能とするとともに着脱可能であってもよい。
【００１２】
このように、ロッド対して着脱可能な第２の締結部材をロッド位置規制部材が有することで、ロッドに対してロッド位置規制部材を容易に着脱することができる。
【００１３】
上記楽器用キャリアにおいて、前記ロッドの回動時において、前記ロッドに対して相対的に変位する変位部材と、前記ロッド位置規制部材と、のどちらか一方の部材に設けられた突出部を有し、前記突出部は、前記ロッドの回転時において、前記変位部材及び前記ロッド位置規制部材のうち、前記突出部が設けられていない他方の部材に当接することで、前記ロッドの回動を規制してもよい。
【００１４】
このように、ロッドの回転時において、変位部材及びロッド位置規制部材のうち、突出部が設けられていない他方の部材に突出部を当接することで、当接させた位置を位置決め後のロッドの回転方向の位置にすることが可能となるので、ロッドの回転方向の位置を容易に位置決め後のロッドの回転方向の位置に再現することができる。
【００１５】
上記楽器用キャリアにおいて、前記ロッドに固定された前記ロッド位置規制部材は、前記ロッドの回動時に前記変位部材と当接されない範囲で回転可能であってもよい。
【００１６】
このような構成とすることで、楽器用キャリアを使用しない場合において、腹当て部材の中央部側に、ロッド位置規制部材が固定されたロッドを回転させて、ロッドが閉じた状態にすることが可能となる。これにより、楽器用キャリアの収納に必要なスペースを小さくすることができる。
また、ロッド位置規制部材がロッドに固定された状態で収納された後、楽器用キャリアを使用する場合において、ロッドの回転方向の位置を容易に位置決め後のロッドの回転方向の位置にすることができる。
【００１７】
上記楽器用キャリアにおいて、前記変位部材は、前記腹当て部材或いは前記ロッドクランプであってもよい。
【００１８】
このように、変位部材として、腹当て部材或いはロッドクランプを用いることで、ロッド位置規制部材を十分に機能させることができる。
【発明の効果】
【００１９】
本発明によれば、調整後のロッドの高さ及び／または回転方向の位置を容易に再現することができる。
【図面の簡単な説明】
【００２０】
【図１】本発明の実施の形態に係る楽器用キャリアの斜視図である。
【図２】図１に示す楽器用キャリアの正面図である。
【図３】図１に示す楽器用キャリアの背面図である。
【図４】図２に示す楽器用キャリアの側面図である。
【図５】図４に示す楽器用キャリアの一部を拡大した側面図である。
【図６】図２に示すスライド部材の正面図である。
【図７】図４に示す楽器用キャリアを痩せた体型の演奏者が装着した状態を模式的に示す側面図である。
【図８】図４に示す楽器用キャリアを太った体型の演奏者が装着した状態を模式的に示す側面図である。
【図９】図１に示すロッド位置規制部材の斜視図である。
【図１０】図９に示すロッド位置規制部材の側面図である。
【図１１】本実施の形態の第１変形例に係るロッド位置規制部材及びロッドクランプを示す平面図である。
【図１２】図１１に示すロッド位置規制部材及びロッドクランプの他の使用方法を説明するための平面図である。
【図１３】本実施の形態の第２変形例に係るロッド位置規制部材を示す平面図である。
【発明を実施するための形態】
【００２１】
以下、図面を参照して本発明を適用した実施の形態について詳細に説明する。なお、以下の説明で用いる図面は、本発明の実施の形態の構成を説明するためのものであり、図示される各部の大きさや厚さや寸法等は、実際の楽器用キャリアの寸法関係とは異なる場合がある。
なお、下記実施の形態において、上及び下等の方向は、特に説明がない場合、演奏者が楽器用キャリアを装着して立った状態を基準としたときの方向を示している。
【００２２】
（実施の形態）
図１は、本発明の実施の形態に係る楽器用キャリアの斜視図である。図２は、図１に示す楽器用キャリアの正面図である。図３は、図１に示す楽器用キャリアの背面図である。図４は、図２に示す楽器用キャリアの側面図である。図２〜図４において、図１に示す楽器用キャリア１０と同一構成部分には、同一符号を付す。
【００２３】
図１〜図４を参照するに、本実施の形態の楽器用キャリア１０は、腹当て部材１１と、一対のロッドクランプ１２と、一対のロッド１４と、連結部材１６と、肩当て部材１８と、背当て部材１９と、複数のワッシャープレート２１，２６と、ボルト２２−１，２２−２，２２−３，当て板２３と、複数のナットプレート２４，２８と、複数のボルト２７と、ロッド位置規制部材２９と、を有する。
楽器用キャリア１０は、腹当て部材１１と、連結部材１６と、肩当て部材１８と、背当て部材１９と、それらを組み付ける部品によって、キャリア本体部を構成する。そして、キャリア本体部に一対のロッドクランプ１２によって一対のロッド１４が組みつけられる。
【００２４】
腹当て部材１１は、腹当て部材本体３１と、スライド溝３２，３３と、を有する。腹当て部材本体３１は、演奏者の腹の形状に合わせるようにその側部が湾曲して形成された板状の部材である。腹当て部材本体３１の背面３１ｂは、演奏者の腹に当接される。
腹当て部材１１は、演奏者の負担を軽減する観点から、軽量の材料（例えば、アルミニウム）で構成することが好ましい。
【００２５】
スライド溝３２，３３は、腹当て部材本体３１の中央部に並行して設けられ、腹当て部材本体３１を貫通している。
スライド溝３２，３３は、連結部材１６の延在方向（言い換えれば、演奏者が楽器用キャリア１０を装着した状態での高さ方向（上下方向））に延在するように配置されている。
スライド溝３２，３３の幅は、それぞれボルト５２,５７の軸部が通過可能な大きさに設定されている。
【００２６】
一対のロッドクランプ１２は、腹当て部材本体３１の両側部の正面３１ａ下部に配置されている。
ロッドクランプ１２は、ロッド収容部３５と、突出部３６と、ワッシャープレート３８と、ボルト３９と、を有する。
【００２７】
ロッド収容部３５は、ロッド１４を挿入可能なロッド挿入穴（貫通穴）を有する。ロッド挿入穴は、ロッド収容部３５を貫通する穴である。
突出部３６は、隙間を介在させて、対向配置された２枚の板部で構成されている。２枚の板部のうち、腹当て部材本体３１の正面３１ａ側と接触する板部は、腹当て部材本体３１の背面３１ｂ側から２つのねじ３７で腹当て部材本体３１に固定されている。突出部３６は、ロッド収容部３５と一体に構成されている。
【００２８】
ボルト３９は、ワッシャープレート３８を介して、突出部３６を構成する２枚の板部に到達するように締結されている。ボルト３９を緩めると、２枚の板部間の隙間が広がることで、ロッド挿入穴も広がるため、ロッドクランプ１２内をロッド１４がロッド挿入穴の延在方向に移動可能な状態となる。
一方、ボルト３９を締結すると、２枚の板部の間の隙間が狭くなることで、ロッド挿入穴の径も狭くなるため、ロッド１４の位置が規制（言い換えれば、ロッド１４の開き具合やロッド１４の高さが固定）される。
なお、本発明において、「ロッド１４の高さ」とは、楽器用キャリア１０の腹当て部材におけるロッドの取付け位置に対してロッド１４の一端側の折り曲げられた位置（すなわち、楽器を支持する位置）までの距離のことをいう。
【００２９】
ロッド１４は、１本の棒状の部材の一部を折り曲げることでＪ字状に構成されたもので、短直棒部１４−１と、長直棒部１４−２と、短直棒部が長直棒部に対して少し下にくるようにそれらを傾斜して連結する傾斜連結部１４−３と、を有する。
ロッド１４の一端側の短直棒部１４−１で楽器を支持し、他端側の長直棒部１４−２で腹当て部材１１に連結する機能を有する。ロッド１４は、その他端部側の長直棒部１４−２がロッドクランプ１２のロッド挿入穴に収容された状態でボルト３９が締結されることでロッド１４が固定され、１対のロッド１４の短直棒部１４−１間の開き具合や高さが規定される。
例えば、楽器用キャリア１０を用いてドラムを支持する場合には、ドラムに装着されたキャリア連結部材（図示せず）に設けられた２つのロッド挿入穴のぞれぞれにロッド１４の短直棒部１４−１を挿入する。このため、楽器用キャリア１０を用いてドラムを支持する場合、ドラムに装着されたキャリア連結部材の２つのロッド挿入穴にロッド１４が挿入可能なように、ロッド１４の開き具合や位置を調整する必要がある。
【００３０】
なお、図１では、ロッド１４の一例として、Ｊ形状とされたロッドを例に挙げて図示したが、ロッド１４の形状は、支持する楽器に応じて適宜選択することができ、図１に示す形状に限定されない。
【００３１】
図５は、図４に示す楽器用キャリアの一部を拡大した側面図である。図５に示すＡは、スライド部６２がスライドしたときの肩当て部材本体６１の移動方向（以下、「Ａ方向」という）を示している。図５において、図１〜図３に示す楽器用キャリア１０と同一構成部分には、同一符号を付す。
なお、図５では、説明の便宜上、一対の第１の湾曲部４１−１，４２−１、及び第２の湾曲部６２−１を断面で図示する。
【００３２】
連結部材１６は、一対の板部材４１，４２と、複数のスペーサ４４と、複数のワッシャープレート４６，５１，５６と、複数のボルト４７，５２，５７と、複数のナットプレート４９，５４と、当て板５３と、を有する。
【００３３】
板部材４１は、腹当て部材１１と肩当て部材１８の間に延在する平板状部材であり、腹当て部材１１から離間するにつれて幅が細くなる形状とされている。板部材４１は、肩当て部材１８側に位置する上端部を構成する第１の湾曲部４１−１を有する。
第１の湾曲部４１−１は、板部材４１の上端部側の一部を湾曲させることで形成される部材である。第１の湾曲部４１−１の正面及び背面は、平坦な面とされている。第１の湾曲部４１−１の形状は、演奏者が楽器用キャリア１０を装着した状態において、演奏者の胸から離間する方向に突出し、演奏者側には凹部が形成される形状とされている。
板部材４１は、下端部側には複数のボルト５２，５７が貫通する穴（図示せず）設けられ、その穴の位置が少なくともスライド溝３２，３３の一部と一致するように、かつ腹当て部本体３１の正面３１ａの中央部と接触するように配置されている。板部材４１は、上下方向に延在している。板部材４１の一部は、腹当て部材１１の上方に突出している。
【００３４】
板部材４２は、上述した板部材４１と同様な構成とされた部材であり、その上端部側の一部を湾曲させることで第１の湾曲部４２−１を有する。板部材４２は、腹当て部材１１の背面側に、第１の湾曲部４２−１が第１の湾曲部４１−１と対向するように板部材４１と対向して配置されている。
板状部材４１，４２の材料としては、例えば、軽量な金属であるアルミニウムを例示することができる。
【００３５】
複数のスペーサ４４は、腹当て部１１から突出した板部材４１，４２の対向する面の間に配置されている。複数のスペーサ４４は、それぞれボルト４７を挿入させることの可能な貫通穴を有する。複数のスペーサ４４の形状は、例えば、筒形状にすることができる。
複数のスペーサ４４は、その高さによって板部材４１，４２の対向させた面の間隔を所定の間隔に保つ機能を有する。
【００３６】
複数のスペーサ４４の高さは、例えば、腹当て部材本体３１の厚さ、及び肩当て部材１８を構成する後述するスライド部材６２の厚さよりも少し大きい値となるように設定するとよい。
これにより、板部材４１，４２の下端部の間に配置される腹当て部材１１がスライド可能な隙間、及び第１の湾曲部４１−１,４２−１の間に配置されるスライド部材６２の第２の湾曲部６２−１がスライド可能な隙間が形成される。
【００３７】
複数のボルト４７は、ワッシャープレート４６、及びスペーサ４４を貫通し、板部材４２の背面に配置されたナットプレート４９に螺合されている。これにより、板部材４１，４２が固定されている。
【００３８】
なお、本実施の形態では、一例として、スペーサ４４、ワッシャープレート４６、ボルト４７、及びナットプレート４９をそれぞれ４つ用いた場合を例に挙げて説明したが、スペーサ４４、ワッシャープレート４６、ボルト４７、及びナットプレート４９の数は、適宜選択することができ、４つに限定されない。
【００３９】
ボルト５２は、ワッシャープレート５１、スライド溝３２、板部材４２の背面に配置された当て板５３を貫通している。
ボルト５７は、ワッシャープレート５６、スライド溝３３、板部材４２の背面に配置された当て板５３を貫通している。それぞれのボルト５２，５７は、ナットプレート５４に螺合されている。
【００４０】
また、並行するスライド溝３２，３３のそれぞれに対して、互いに異なる位置で２つのボルト（ボルト５２が２つまたはボルト５７が２つ）のそれぞれの軸部を通すことで、スライド溝３２，３３の延在方向に対して、連結部材１６が傾斜することなく、スライド溝３２，３３の延在方向に沿うように、連結部材１６をスライドさせることが可能となる。
これにより、楽器用キャリア１０を装着した演奏者の腹に対して、容易に腹当て部材１１を当接するように高さを調整することができる。
【００４１】
また、板状とされた腹当て部材本体３１は、板部材４１，４２間に配置され、ボルト５２，５７を締めることで位置を保持する一方、ボルト５２，５７を緩めるだけで腹当て部材本体３１と板部材４１，４２を分解・分離されることなく、位置をずらすことで、腹当て部材本体３１に対する板部材４１，４２との位置関係を調整できる。
このため、板部材４１，４２に対して腹当て部材本体３１がスライド溝３２，３３の延在方向にスライドすることで容易に調整できる。
また、腹当て部材本体３１の正面３１ａと板部材４１の背面とが面接触するとともに、腹当て部材本体３１の背面３１ｂと板部材４２の正面とが面接触するように挟持して位置関係を保持することで、一面のみで面接触してスライドする場合と比較して、抵抗を大きくすることが可能となる。これにより、演奏時に楽器用キャリアが演奏者の体からずれることを抑制できる。
【００４２】
肩当て部材１８は、一対の肩当て部材本体６１と、スライド部材６２と、複数のワッシャープレート６４と、複数のボルト６５と、複数のナット６６と、を有する。  
肩当て部材本体６１は、例えば、板材を湾曲させることで形成される。肩当て部材本体６１は、先に説明した第１の湾曲部４１−１，４２−１の湾曲よりも大きく湾曲した形状とされている。楽器用キャリア１０の軽量化の観点から、肩当て部材本体６１の材料としては、例えば、アルミニウムを用いることができる。
【００４３】
図６は、図２に示すスライド部材の正面図である。図６において、図１〜図５に示す構造体と同一構成部分には、同一符号を付す。
【００４４】
スライド部材６２は、Ｕ字形状とされた板状の部材であるスライド部材本体８１と、スライド溝８２〜８４と、ボルト穴８５と、を有する。
スライド部材６２は、その下部に第１の湾曲部４１−１，４２−１の湾曲形状に対応した形状を有する第２の湾曲部６２−１（肩当て部材１８の一部）を有する。
【００４５】
第２の湾曲部６２−１は、中空円筒をその軸線に沿って切った一部で構成される形状を成し、一対の第１の湾曲部４１−１，４２−１間に形成される湾曲した空間内をスライド可能で、かつ第２の湾曲部６２−１の二面が一対の第１の湾曲部４１−１，４２−１のそれぞれの対向する一面と接触する形状とされている。
第２の湾曲部６２−１は、一対の第１の湾曲部４１−１，４２−１間に形成された隙間に挿入されている。第２の湾曲部６２−１は、一対の第１の湾曲部４１−１，４２−１の湾曲面の円弧に沿って案内されながらスライドする。
楽器用キャリア１０の軽量化の観点から、スライド部材本体８１の材料としては、例えば、アルミニウムを用いることができる。
【００４６】
３つのスライド溝８２〜８４は、第２の湾曲部６２−１の中央部を貫通するように設けられている。スライド溝８２〜８４は、第２の湾曲部６２−１の湾曲方向（上下方向）に互いに並行して延在する溝である。
スライド溝８２〜８４のそれぞれの溝幅は、ボルト２２−１〜２２−３の軸部が通過可能で、かつボルト２２−１〜２２−３の頭部及びワッシャープレート２１が通過不可能な大きさに設定されている。
ボルト穴８５は、Ｕ字形状とされたスライド部材本体８１の両端部に設けられている。ボルト穴８５は、スライド部材本体８１を貫通するように設けられている。ボルト穴８５には、ボルト６５が螺合される。
【００４７】
ボルト６５は、ワッシャープレート６４を介して、肩当て部材本体６１の一方の端部とスライド部材６２のボルト穴８５の正面側とが重なる部分を貫通している。ボルト６５は、スライド部材６２の背面側に配置されたナット６６に螺合されている。これにより、スライド部材６２の両端と一対の肩当て部材本体６１のそれぞれとが連結される。
【００４８】
ボルト２２−１は、スライド溝８２に軸部が挿入されており、ワッシャープレート２１とナットプレート２４とで一対の第１の湾曲部４１−１，４２−１及び当て板２３を挟み込むように、ナットプレート２４に螺合されている。ボルト２２−１の軸部の径は、スライド溝８２の幅よりも狭くなるように構成されている。
ボルト２２−２，２２−３は、それぞれスライド溝８３，８４に軸部が挿入されており、ボルト２２−１と同様にナットプレート２４に螺合されている。
【００４９】
このように、板材を湾曲させることで構成された一対の第１の湾曲部４１−１，４２−１及び第２の湾曲部６２−１を、ボルト２２−１，２２−２，２２−３、ワッシャープレート２１、及びナットプレート２４を用いて連結させることで、従来の支持ロッドに締付ロッドホルダをねじで締結することで形成される出っ張り（特許文献１参照）よりも小さな出っ張りで連結部材１６と肩当て部材１８とを連結することが可能となる。
これにより、楽器用キャリア１０の見栄えを良くすることができるとともに、演奏者が衣装の下に楽器用キャリア１０を装着した場合に衣装が破損することを抑制できる。
【００５０】
また、一対の第１の湾曲部４１−１，４２−１間に配置される第２の湾曲部６２−１に設けられたスライド溝８２〜８４にボルト２２−１，２２−２，２２−３の軸部を配置し、１枚のナットプレート２４に螺合させることで、ボルト２２−１，２２−２，２２−３を緩めたときには、楽器用キャリア１０を装着する演奏者の体型に応じて、スライド溝８２〜８４の延在方向（図５に示すＡ方向）に第２の湾曲部６２−１を円弧状に連続してスライドさせることが可能となる。
これにより、楽器用キャリア１０を装着する演奏者の体型に合わせて、肩当て部材１８の角度や頂点の位置を、湾曲部の大きな曲率の円弧に沿って容易に調整でき、ボルト２２−１，２２−２，２２−３を締めることで、湾曲部の大きな曲率の曲面同士を接触した状態で保持できるので、演奏時に楽器用キャリア１０が演奏者の体からずれることを抑制できる。
【００５１】
先に説明したように、第１の湾曲部４１−１，４２−１及び第２の湾曲部６２−１は、板材を湾曲させることで形成されている。このため、一対の第１の湾曲部４１−１，４２−１に対して第２の湾曲部６２−１が従来のロッドの丸棒を保持するものより大きな曲率で形成でき、第２の湾曲部６２−１の凸側と凹側の両曲面と一対の第１の湾曲部４１−１，４２−１のそれぞれの対向する面とが挟持される形で面接触する。
これにより、大きな曲率で支持できるとともに接触する面積が増えて保持力が大きくなり、楽器用キャリア１０が演奏者の体に密着した状態を維持しやすくなるので、演奏時に楽器用キャリア１０が演奏者の体からずれることを抑制できる。
【００５２】
また、一対の第１の湾曲部４１−１，４２−１、及び第２の湾曲部６２−１が円弧形状であるため、円弧状に湾曲方向に沿ってスライドした第２の湾曲部６２−１の回転角度を連続的に調整することができる。
【００５３】
図７は、図４に示す楽器用キャリアを痩せた体型の演奏者が装着した状態を模式的に示す側面図である。図８は、図４に示す楽器用キャリアを太った体型の演奏者が装着した状態を模式的に示す側面図である。
図７及び図８において、図１〜図６に示す構造体と同一構成部分には、同一符号を付す。また、図７及び図８では、説明の便宜上、一対の第１の湾曲部４１−１、及び第２の湾曲部６２−１を断面で図示する。
【００５４】
ここで、演奏者の体型に応じて、第２の湾曲部６２−１がどのようにスライドして、楽器用キャリア１０が演奏者に装着されるかについて説明する。
痩せた体型（腹厚の小さい体型）の演奏者Ｂが楽器用キャリア１０を装着すると、演奏者Ｂの体の厚さが薄いため、一対の第１の湾曲部４１−１，４２−１に沿って第２の湾曲部６２−１が下方にスライドする。これにより、肩当て部材１８の頂点Ｔ１が連結部材１６に近い位置に配置される。そして、このような位置において、演奏者Ｂの肩と肩当て部材１８との接触面積が多い状態となる。
【００５５】
太った体型（腹厚の大きい体型）の演奏者Ｃが楽器用キャリア１０を装着すると、演奏者Ｃの体の厚さが厚いため、一対の第１の湾曲部４１−１，４２−１の湾曲面に沿って第２の湾曲部６２−１が上方にスライドし、肩当て部材１８の頂点Ｔ２が連結部材１６から遠い位置（図７に示す頂点Ｔ１よりも遠い位置）に形成される。
そして、このような位置において、演奏者Ｃの肩と肩当て部材１８との接触面積が多い状態となる。
【００５６】
上述したように、一対の第１の湾曲部４１−１，４２−１の湾曲面に沿って第２の湾曲部６２−１がスライドすることで、肩当て部材１８の角度及び頂点の位置を変化させることが可能となる。これにより、様々な体型の演奏者の肩と肩当て部材１８との接触面積を増加させることができる。
【００５７】
なお、図示してはいないが、必要に応じて、腹当て部材本体３１の背面３１ｂや演奏者の胸と接触する連結部材１６の面（板部材４２の背面）や演奏者の肩と接触する肩当て部材１８の下面に、演奏者の腹部、胸部や肩等を保護するクッション部材を設けてもよい。これにより、楽器用キャリア１０を用いて重量の重い楽器を支持した場合でも、演奏者と接触する部位が痛くなることを抑制できる。
【００５８】
背当て部材１９は、一対の肩当て部材本体６１の他方の端部を連結するための帯状の部材である。
背当て部材１９の両端は、ワッシャープレート２６、ボルト２７、及びナット２８により、一対の肩当て部材本体６１の他方の端部に連結されている。背当て部材１９は、演奏者の背中に当接される部材である。
【００５９】
図９は、図１に示すロッド位置規制部材の斜視図である。図１０は、図９に示すロッド位置規制部材の側面図である。図９及び図１０において、図１及び図２に示す構造体と同一構成部分には、同一符号を付す。
【００６０】
ロッド位置規制部材２９は、Ｕ字状の部材の両端側を締結する構成のものであり、ロッド装着部９１と、突出部９２と、ナットプレート９３と、ボルト９５と、を有する。
ロッド装着部９１は、ロッド装着部本体９７と、ロッド挿入用貫通穴９８と、を有する。ロッド装着部９１は、ボルト９５を緩めた状態において、ロッド１４に対して回転可能およびスライド可能とされている。
ロッド装着部９１がロッド１４に対して回転することにより、ロッド１４がロッドクランプ１２に固定された状態であっても、ロッド位置規制部材２９の突出部９２を腹部当て部材本体３１の正面３１ａに接触させたり離間させたりすることが可能となる。また、ロッド装着部９１がロッド１４に対してスライドすることにより、ロッド位置規制部材２９の端面をロッドクランプ１２に当接させたり離間させたりすることができる。
突出部９２が配置された側とは反対側に位置するロッド装着部９１の形状としては、例えば、半円形状を例示することができる。
【００６１】
ロッド挿入用貫通穴９８は、ロッド装着部本体９７を貫通するように設けられた貫通穴である。側面視した際のロッド挿入用貫通穴９８の形状は、例えば、六角形や円形とすることができるが、これらに限定されない。
なお、図９及び図１０では、側面視した際のロッド挿入用貫通穴９８の形状の一例として、六角形を図示している。
【００６２】
突出部９２は、ロッド装着部９１がロッド１４に装着された状態において、ロッド１４の中心軸Ｌと交差する方向（本実施の形態の場合、一例として、中心軸Ｌと直交する方向）に突出している。
なお、本実施の形態では、一例として、中心軸Ｌと直交する方向に突出する突出部９２を例に挙げて説明したが、必ずしも直交する必要はなく、突出部は、中心軸Ｌに対して交差する方向に突出していればよい。
【００６３】
突出部９２は、第１の板部１０１と、第２の板部１０２と、空間１０３と、を有する。
第１の板部１０１は、腹当て部材本体３１の正面３１ａ側に位置するロッド装着部９１の一方の端部と一体に構成されている。第１の板部１０１は、その中央部を貫通するねじ穴１０１Ａを有する。
第２の板部１０２は、ロッド装着部９１の他方の端部と一体に構成されている。第２の板部１０２は、空間１０３を介して、第１の板部１０１と対向するように配置されている。
第２の板部１０２は、その中央部を貫通し、かつねじ穴１０１Ａと対向配置されるねじ穴１０２Ａを有する。
【００６４】
空間１０３は、板状とされた空間であり、ロッド挿入用貫通穴９８と接続されている。つまり、ロッド装着部９１及び突出部９２よりなる構造体は、略Ｕ字形状とされている。
ロッド装着部９１及び突出部９２の材料としては、例えば、ボルト９５を螺合した際に突出部９２がある程度変形するような材料で構成することが好ましい。このような材料としては、例えば、アルミニウムを用いることができる。
【００６５】
ボルト９５は、ナットプレート９３を介して、第２の板部１０２側からねじ穴１０２Ａ，１０１Ａに螺合されている。
ロッド挿入用貫通穴９８にロッド１４を挿入した状態でボルト９５を締めていくと、ボルト９５の軸部９５Ａの延在方向における空間１０３の幅が狭くなるとともに、ロッド挿入用貫通穴９８の径も小さくなるため、ロッド１４にロッド位置規制部材２９が固定される。
逆に、ロッド１４固定されたロッド位置規制部材２９のボルト９５を緩めていくと、ボルト９５の軸部９５Ａの延在方向における空間１０３の幅が広くなるとともに、ロッド挿入用貫通穴９８の径も大きくなるため、ロッド１４に対して回転させることで腹当て部材１１に対するロッド位置規制部材２９の向きを変更できるとともに、ロッド１４に沿ってスライドさせることでロッド位置規制部材２９を取り外すことができる。
【００６６】
ボルト９５の軸部９５Ａの長さは、例えば、ボルト９５を締めてロッド装着部９１内にロッドを固定した状態で、腹当て部材本体３１側に突出しない長さにするとよい。
これにより、ロッド位置規制部材２９を用いて、ロッド１４の高さ及び／またはロッド１４の回転を規制する際にも、また、ボルト９５を緩めた際にも、軸部９５Ａの先端により腹当て部材本体３１が損傷することなく、腹当て部材本体３１側に配置される第１の板部１０１の面１０１ａ腹部当て部材本体３１の正面３１ａに当接することができる。
【００６７】
次に、ロッド位置規制部材２９を使用した楽器用キャリアの使用方法について、その使用に伴うロッド１４とロッド位置規制部材２９の部材の操作を中心に例を説明する。ここでは、一例として、一対のロッド位置規制部材２９が固定された図１及び図２に示す楽器用キャリア１０を楽器用キャリアとして使用する状態から、一旦、使用しないときの収容状態にし、その後、使用する状態に戻すことを説明する。
【００６８】
楽器用キャリア１０を楽器用キャリアとして使用する状態は、図１及び図２に示す状態である。この状態では、ロッド１４は、楽器が支持できる角度と高さになった位置となるように、ロッド１４の短直棒部１４−２と傾斜連結部１４−３とが前側に所定の開いた状態で、ボルト３９が締められていることで腹当て部材１１に対して固定されている。
このとき、ロッド位置規制部材２９は、ロッドクランプ１２との対向面がロッドクランプ１２と当接した状態でロッドの高さを規制し、突出部９２は腹当て部材に当接した状態でロッド１４の短直棒部１４−２の間隔（すなわち、ロッド１４の開く角度）を規制している。
【００６９】
このキャリアとして使用する状態から収容状態にする。収容状態では、楽器用キャリア１０ができるだけコンパクトになるように、可動部品を畳むようにする。
ロッド１４は、短直棒部１４−２と傾斜連結部１４−３とを腹当て部材の中央部に向けて互いに重なるように倒すことで腹当て部材１１の平面にできるだけ沿うようにして奥行き方向をコンパクトにするとともに、傾斜連結部１４−３ができるだけ腹当て部材に近づくように、ロッド１４の長直棒部１４−１のできるだけ下の位置（傾斜連結部１４−３に近い位置）でロッドクランプ１２がクランプすることで、高さ方向をコンパクトにする。
【００７０】
キャリアとして使用する状態からこの収容状態にするには、初めに、２つのボルト３９を緩めて、一対のロッドクランプ１２のそれぞれに挿入された一対のロッド１４のそれぞれが上下方向及び回転方向に移動可能な状態にする。このとき、ボルト９５を締めたままロッド１４にロッド位置規制部材２９を固定させたままの状態を維持させておく。
次に、移動可能になったロッド１４を、短直棒部１４−２と傾斜連結部１４−３とは、腹当て部材１１の中央部に向けて互いに重なるように回転させて倒すとともに、傾斜連結部１４−３ができるだけ腹当て部材１１に近づくように、長直棒部１４−１に沿ってスライドさせる。ロッド１４を倒すとともにスライドさせてコンパクトにした状態で、２つのボルト３９を締める。そして、他の可動部品もできるだけコンパクトな状態にして、収容状態とする。
【００７１】
このとき、ロッド位置規制部材２９は、ロッドクランプ１２との対向面がロッドクランプ１２と離間した状態となるとともに、突出部９２は腹当て部材１１から離間した状態となる。この収容状態では、ロッド位置規制部材２９の規制機能をはたしてなくても、収容できるものとしている。
さらに、収容状態から再び上記楽器を支持して楽器用キャリア１０を楽器用キャリアとして使用する状態（図１及び図２に示す状態）に戻す。
【００７２】
上記の収容状態とした楽器用キャリア１０において、ロッド１４を倒した状態において傾斜連結部１４−３ができるだけ腹当て部材１１から遠ざかるように、長直棒部１４−１に沿ってスライドさせる。
このとき、ロッド位置規制部材２９は、ロッドクランプ１２との対向面がロッドクランプ１２と当接した状態となるまでスライドすることで、収容前のロッド１４の高さ方向の位置まで容易に戻すことができる。そして、ロッド１４を短直棒部１４−２が前方向にくるように起こす。
【００７３】
このとき、ロッド位置規制部材２９の突出部９２が、腹当て部材１１にあたるまで回転することで、収容前の短直棒部１４−２の開き具合まで容易に戻すことができる。
また、固定されたロッド位置規制部材２９がロッドクランプ１２にあたって止まることで、一対のロッド１４がロッドクランプ１２から外れて落下することを防止できるとともに、ロッド１４の高さ方向の位置を規制する。そして、他の可動部品もキャリアとして使用できる状態にすることで、楽器用キャリア１０を楽器用キャリアとして使用する状態に戻すことができる。
このように、本実施形態の楽器用キャリアであれば、収容状態と使用状態の間で簡単に切替えることができる。
【００７４】
なお、腹当て部材１１に対するロッド１４のクランプ位置を当初のロッド位置規制部材２９が留めてある位置より下げる（言い換えれば、ロッド１４のうち、ロッドクランプ１２の下方に延在する部分の長さを図１及び図２に示すロッド１４の長さよりも長くする）場合には、ボルト３９を緩める前にボルト９５を緩めて、ロッド位置規制部材２９を上方にスライドさせた後に、ボルト９５を締めてロッド１４にロッド位置規制部材２９を新しい位置に定めて固定し、その後ボルト３９を緩めてロッド１４を新しい位置で固定するとよい。
このような手順で作業することで、ボルト３９とボルト９５とのどちらか一方は必ず締められた状態で位置が調整できることになるので、一対のロッド１４の長さを長くする場合でも、一対のロッド１４がロッドクランプ１２から落下することを防止できる。
【００７５】
このように、ロッドクランプ１２と接触するように、ロッド位置規制部材２９を配置し、その後、ロッド１４にロッド位置規制部材２９を固定することで、腹当て部材１１に固定されたロッドクランプ１２の位置を高さ方向の基準位置とすることが可能となるので、位置調整後のロッド１４の高さを容易に再現することができる。
【００７６】
ロッド位置規制部材２９を用いて一対のロッド１４の高さのみを規制する場合には、ロッド位置規制部材２９の下端とロッドクランプ１２の上端とを接触させた後、ロッド位置規制部材２９と腹当て部材本体３１の正面３１ａとが接触しないように、一対のロッド１４に対してロッド位置規制部材２９を固定する。
【００７７】
このように、ロッド１４の位置調整後に、ロッドクランプ１２にロッド位置規制部材２９を接触させ、ロッド１４にロッド位置規制部材２９を固定することで、一対のロッド１４腹部当て部材本体３１の中央側や上方に移動させた場合でも、ロッドクランプ１２とロッド位置規制部材２９とを接触させることで、一対のロッド１４の高さを、容易に位置調整後の高さにすることができる。
なお、この場合には、ロッド装着機構のロッド挿入穴にロッド１４を挿入する段階において、一対のロッド１４の回転方向の位置の調整を行う。
【００７８】
また、ロッド位置規制部材２９を用いて一対のロッド１４の高さ及び回転方向の位置を規制する場合には、ロッド位置規制部材２９の下端とロッドクランプ１２の上端とを接触させるとともに、第１の板部１０１腹部当て部材本体３１の正面３１ａに当接させた状態で、一対のロッド１４に対してロッド位置規制部材２９を固定する。
【００７９】
このように、ロッド位置規制部材２９とロッドクランプ１２とを接触させるとともに、第１の板部１０１腹部当て部材本体３１の正面３１ａに当接させた状態で、一対のロッド１４に対してロッド位置規制部材２９を固定することで、一対のロッド１４腹部当て部材本体３１の中央側や上方に移動させた場合でも、ロッドクランプ１２とロッド位置規制部材２９とを接触させ、かつ第１の板部１０１腹部当て部材本体３１の正面３１ａに当接させることで、一対のロッド１４の高さ及び回転方向の位置を、容易に位置調整後の一対のロッド１４の高さ及び回転方向の位置にすることができる。
【００８０】
次いで、別の楽器に装着されたロッド装着機構のロッド挿入穴に、ロッド位置規制部材２９が固定されたロッドの短直棒部１４−２を挿入することで、ロッド装着機構を介して、楽器用キャリア１０が別の楽器を支持する。
別の楽器を演奏後、楽器用キャリア１０を収納庫等に収納する場合には、一対のロッド１４にロッド位置規制部材２９を固定させた状態で、楽器用キャリア１０を収納する。
このとき、一対のロッド１４を突出部９２が無い側に回転させることで、ロッド１４を閉じた状態にすることが可能となる。これにより、楽器用キャリア１０の収納に必要なスペースを小さくすることができる。
また、ロッド位置規制部材２９がロッド１４に固定された状態で収納された後、ロッド位置規制部材２９を使用する場合において、ロッド１４の高さ及び回転方向の位置を、容易に位置調整後のロッド１４の高さ及び回転方向の位置にすることができる。
【００８１】
また、収納後に、位置調整に使用した楽器を演奏する場合には、上述した手法を用いることで、一対のロッド１４を容易にロッド装着機構のロッド挿入穴に挿入することができる。
【００８２】
なお、上述したロッド位置規制部材２９の使用方法の一例では、突出部９２が外側に位置するようにロッド位置規制部材２９をロッド１４に固定させた場合を例に挙げて説明したが、突出部９２が内側に配置されるように、一対のロッド位置規制部材２９をロッド１４のそれぞれに固定させてもよい。
この場合、楽器用キャリアを収納するときには、ロッド１４の短直棒部１４−２と傾斜連結部１４−３とを外側に回転させた状態で、楽器用キャリアを収納する。このような構成とされた楽器用キャリアは、突出部９２を外側に配置させた場合と同様な効果を得ることができる。
【００８３】
また、一対のロッド位置規制部材２９は、１つのロッド１４のロッドクランプ１２を挟んだ上下の位置に固定させてもよい。この場合、ある楽器を使用できるようにロッド１４の位置を調整した後、一対のロッド位置規制部材２９のうちの一方の端面をロッドクランプに当てるとともに突出部９２を腹当て部材にあてた状態でボルト９５を締めて固定し、その後、他の楽器に装着されたロッド装着機構のロッド挿入穴に挿入可能なように一対のロッド１４の位置を調整後、一対のロッド位置規制部材２９の他方の端面をロッドクランプに当てるとともに突出部９２を腹当て部材にあてた状態でボルト９５を締めて固定する。
【００８４】
このとき、ロッドクランプ１２の下方に配置された一対のロッド位置規制部材２９を構成する突出部９２は、ロッドクランプ１２の上方に配置された一対のロッド位置規制部材２９を構成する突出部９２の反対側に位置するように配置させる。
このように、一対のロッド位置規制部材２９を、ロッドクランプ１２の上下にそれぞれ異なる楽器に合わせてロッド１４に固定することにより、上下のロッド位置規制部材２９のそれぞれで２つの楽器のロッド１４の位置を再現させることが可能となる。
【００８５】
ロッド位置規制部材２９としては、例えば、ロッド１４対して着脱可能な締結部材を用いるとよい。
このように、ロッド位置規制部材２９として、ロッド１４対して着脱可能な締結部材（一例として、図９及び図１０に示す構造体）を用いることで、ロッド１４に対してロッド位置規制部材２９を容易に着脱することができる。
なお、図９及び図１０に示す締結部材は、一例であって、ロッド位置規制部材２９の構造は、図９及び図１０に示す構造に限定されない。
【００８６】
本実施の形態の楽器用キャリア１０によれば、ロッド位置規制部材２９を含むことで、楽器に装着するためのロッド１４の位置決め後（ロッド１４の高さ及び／またはロッド１４の回転方向の位置の調整後）、位置決めされたロッド１４に、ロッドクランプ１２と接触するようにロッド位置規制部材２９を固定することが可能となる。
これにより、例えば、ロッド１４にロッド位置規制部材２９を固定した状態において、位置決めされた位置からロッド１４の高さ及び／またはロッド１４の回転方向の位置を変化させた場合でも、ロッド１４の高さ及び／またはロッド１４の回転方向の所定位置を容易に再現することができる。
【００８７】
なお、本実施の形態では、一例として、演奏者の胸に当接される部分に一対の第１の湾曲部４１−１，４２−１及び第２の湾曲部６２−１を設けた場合を例に挙げて説明したが、一対の第１の湾曲部４１−１，４２−１及び第２の湾曲部６２−１の配設位置は、これに限定されない。
一対の第１の湾曲部４１−１，４２−１及び第２の湾曲部６２−１は、例えば、腹当て部材１８に配置してもよいし、肩当て部材本体６１に配置させてもよい。このような場合も本実施の形態と同様な効果を得ることができる。
【００８８】
また、一対の第１の湾曲部４１−１，４２−１及び第２の湾曲部６２−１の構成に変えて、上述の特許文献１のように、支持ロッドを締結して固定するものにして肩掛け部材と腹当て部材の角度を調整できるものとしてもよい。
この場合、ロッド位置規制部材２９を支持ロッドに取付けられるとともに突出部が肩掛け部材にあたることで、肩掛け部材と腹当て部材の角度を規定するものとして使用してもよい。
例えば、上述の特許文献１の図１０におけるロッドホルダ８７，８８の幅を肩掛けストラップ７６，７７のそれより狭くし、それで空いたところにロッド位置規制部材２９を固定することで、回転したときに肩掛けストラップ７６，７７に突出部があたるようにすればよい。
また、肩掛け部材と腹当て部の距離（高さ）をロッドで調整するものであれば、そのロッドの位置規制部材として使用してもよい。これらに限られず、楽器用キャリアにおいて、ロッドを使用して稼働な構成としているものに対しては、本発明のロッド位置規制部材を使用することができる。
【００８９】
また、本実施の形態では、一例として、肩当て部材本体６１と、スライド部材６２と、が別体とされた肩当て部材１８を用いた場合を例に挙げて説明したが、肩当て部材本体６１と、スライド部材６２と、が一体とされた肩当て部材を用いてもよい。
【００９０】
また、一対の第１の湾曲部４１−１，４２−１及び第２の湾曲部６２−１の大きさ（例えば、湾曲の曲率半径の大きさや円弧の角度）や湾曲の程度は、図４及び図５に示す一対の第１の湾曲部４１−１及び第２の湾曲部６２−１に限定されない。
一対の第１の湾曲部４１−１，４２−１及び第２の湾曲部６２−１の大きさ（例えば、半径の大きさ）や湾曲の程度を変更することで、肩当て部材１８の半径の大きさや頂点の位置等を変化させることが可能となる。これにより、体型の異なるより多くの演奏者に適用することが可能となる。
【００９１】
例えば、半径の大きさや頂点の位置等が異なる複数種類のスライド部材と、これらに対応する一対の第１の湾曲部を含む連結部材と、をそれぞれ用意し、演奏者の体型に応じて、複数のスライド部材及び連結部材を使い分けることで、体型の異なるより多くの演奏者に適用することができる。
【００９２】
また、本実施の形態では、一例として、背当て部材１９と連結され、演奏者の腰に当接される腰当て部材を有していない楽器用キャリア１０を例に挙げて説明したが、本発明は、腰当て部材を有する楽器用キャリアにも適用可能である。
【００９３】
また、本実施の形態では、スライド部材６２が３つのスライド溝（具体的には、スライド溝８２〜８４）を有する場合を例に挙げて説明したが、スライド部材６２にスライド溝を形成する場合、その数はひとつでもあればよく、３つに限定されない。
【００９４】
例えば、ボルト２２−１，２２−２，２２−３の出っ張りが気になる場合には、半球形状とされた樹脂により、ボルト２２−１，２２−２，２２−３の頭部を被覆してもよい。
これにより、ボルト２２−１，２２−２，２２−３の頭部が直接、衣装に引っ掛かったり局所的に擦れたりすることがなくなるため、衣装の損傷をより抑制することができる。
【００９５】
また、本実施の形態では、締結する部材としてボルトとナット（ナットプレートや部材にネジを切ったネジ穴を含む）を利用したが、ボルトとナットではなく、例えば、カムレバーロック式にしたり、他の部材・構成で締結するようにしてもよい。
【００９６】
図１１は、本実施の形態の第１変形例に係るロッド位置規制部材及びロッドクランプを示す平面図である。図１１において、図２、図９、及び図１０に示す構造体と同一構成部分には、同一符号を付す。
【００９７】
ロッドクランプ１０６は、凹部１０６Ａを有すること以外は、先に説明したロッドクランプ１２と同様な構成とされている。
ロッド位置規制部材１０７は、凹部１０６Ａの形状に対応し、かつ凹部１０６Ａに挿入可能な凸部１０７Ａを有すること以外は、先に説明したロッド位置規制部材２９と同様な構成とされている。
このような構成とされたロッドクランプ１０６及びロッド位置規制部材１０７を用いた場合、ロッド１４の位置を調整後、凹部１０６Ａに凸部１０７Ａを挿入させて嵌合し、ロッドクランプ１０６及びロッド位置規制部材１０７が当接した状態で、ロッド１４にロッド位置規制部材１０７を固定させることで、位置調整後のロッド１４の回転方向の位置を再現することができる。
【００９８】
図１２は、図１１に示すロッド位置規制部材及びロッドクランプの他の使用方法を説明するための平面図である。図１２において、図１１に示す構造体と同一構成部分には、同一符号を付す。
凹部１０６Ａと凸部１０７Ａとを対向させ、かつ凸部１０７Ａを凹部１０６Ａに近接させて配置させてもよい。この場合、位置調整後のロッド１４の高さ及びロッド１４の回転方向の位置を再現することができる。
【００９９】
図１３は、本実施の形態の第２変形例に係るロッド位置規制部材を示す平面図である。図１３において、図２、図９、図１０、及び図１１に示す構造体と同一構成部分には、同一符号を付す。また、図１３では、図１１に示すロッドクランプ１０６も図示する。
【０１００】
ロッド位置規制部材１０９は、図１１に示すロッド位置規制部材１０７から突出部９２を除き、かつロッド１４にナットプレート９３及びボルト９５を用いてロッド装着部９１を締結させること以外は、ロッド位置規制部材１０７と同様な構成とされている。
先に説明した図１１に示すロッド位置規制部材１０７に替えて、ロッド位置規制部材１０９を用いた場合も、ロッド１４の位置を調整後、凹部１０６Ａに凸部１０７Ａを挿入させた状態で、ロッド１４にロッド位置規制部材１０９を固定させることで、位置調整後のロッド１４の回転方向の位置を再現することができる。
なお、ロッド位置規制部材１０９の凸部１０７Ａとロッドクランプ１０６の凹部１０６Ａとを対向させ、かつ凸部１０７Ａを凹部１０６Ａに近接させて配置させてもよい。
【０１０１】
また、上述の説明では、凹部１０６Ａが１つの場合を例に挙げて説明したが、ロッド１４の周方向に複数個の凹部１０６Ａを設け、それらの中から選択的に凸部１０７Ａと嵌合することによって、複数の所望の位置で規制するように構成してもよい。
なお、本発明における突起部９２とそれに当接する部材は、図１１ないし図１３に示す凹部１０６Ａおよび凸部１０７Ａを含むものである。すなわち、ロッド１４の回動時に回動方向に変位するもので、ロッド１４の所定の回動位置で、ロッド１４に対して相対的に変位する変位部材（例えば、腹当て部材１１やロッドクランプ１２など）に当接するものであればよい。
【０１０２】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【符号の説明】
【０１０３】
１０…楽器用キャリア、１１…腹当て部材、１２，１０６…ロッドクランプ、１４…ロッド、１６，１１１…連結部材、１４−１…短直棒部、１４−２…長直棒部、１４−３…傾斜連結部、１８…肩当て部材、１９…背当て部材、２１，２６，３８，４６，５１，５６，６４…ワッシャープレート、２２−１，２２−２，２２−３，２７，３９，４７，５２，５７，６５，９５…ボルト、２３，５３…当て板、２４，４９，５４，９３…ナットプレート、２８，６６…ナット、２９，１０７，１０９…ロッド位置規制部材、３１…腹当て部材本体、３１ａ…正面、３１ｂ…背面、３２，３３，８２〜８４…スライド溝、３５…ロッド収容部、３６，９２…突出部、３７…ねじ、４１，４２，１１３，１１４…板部材、４１−１，４１−２…第１の湾曲部、４４…スペーサ、６１…肩当て部材本体、６２，１１５…スライド部材、６２−１…第２の湾曲部、８１…スライド部材本体、８５…ボルト挿入穴、９１…ロッド装着部、９５Ａ…軸部、９７…ロッド装着部本体、９８…ロッド挿入用貫通穴、１０１…第１の板部、１０１ａ…面、１０１Ａ，１０２Ａ…ねじ穴、１０２…第２の板部、１０３…空間、１０６Ａ…凹部、１０７Ａ…凸部、１１３Ａ，１１４Ａ，１１５Ａ，１１５Ｂ…凹凸部、Ａ…スライド方向、Ｂ，Ｃ…演奏者、Ｌ…中心軸、Ｔ１，Ｔ２…頂点
【図１】
0006728609.tif 000002
【図２】
0006728609.tif 000003
【図３】
0006728609.tif 000004
【図４】
0006728609.tif 000005
【図５】
0006728609.tif 000006
【図６】
0006728609.tif 000007
【図７】
0006728609.tif 000008
【図８】
0006728609.tif 000009
【図９】
0006728609.tif 000010
【図１０】
0006728609.tif 000011
【図１１】
0006728609.tif 000012
【図１２】
0006728609.tif 000013
【図１３】
0006728609.tif 000014